(57)【要約】  ワイヤレスベースステーションを構成するためのシステム及び技術。ワイヤレスベースステーションは、全セルラー機能未満の機能を含む構成モードに入り、ワイヤレスベースステーションにより全セルラー機能未満の機能を要求する通信を使用してワイヤレスベースステーション付近の少なくとも１つの隣接セルの隣接セル情報を受信し、及びその隣接セル情報に少なくとも一部分基づく構成を使用して全セルラー機能を含む動作モードに入る。【選択図】      図１
2018500815.tif 000002
【特許請求の範囲】
【請求項１】
ワイヤレスベースステーションのプロセッサにより実施される方法において、
全セルラー機能未満の機能を含む構成モードに入り；
ワイヤレスベースステーションにより全セルラー機能未満の機能を要求する通信を使用してワイヤレスベースステーション付近の少なくとも１つの隣接セルの隣接セル情報を受信し；及び
その隣接セル情報に少なくとも一部分基づく構成を使用して全セルラー機能を含む動作モードに入る；
ことを含む方法。
【請求項２】
前記全セルラー機能未満の機能は、低送信電力セルラー機能を含む、請求項１に記載の方法。
【請求項３】
前記隣接セル情報は、少なくとも１つのユーザ装置による１つ以上の隣接セルの無線測定の結果を含み、ワイヤレスベースステーションが前記構成モードで動作する間にユーザ装置によりワイヤレスベースステーションへ通信される、請求項１に記載の方法。
【請求項４】
前記構成モードは、初期構成モードである、請求項１に記載の方法。
【請求項５】
前記隣接セル情報は、モニタ要素からユーザ装置により検索されて、ワイヤレスベースステーションが前記構成モードで動作する間にユーザ装置によりワイヤレスベースステーションへ通信される情報を含む、請求項１に記載の方法。
【請求項６】
前記ワイヤレスベースステーションは、非セルラー通信機能をサポートし、そして前記隣接セル情報は、前記非セルラー通信機能を使用して受信される、請求項１に記載の方法。
【請求項７】
ワイヤレスベースステーションのプロセッサにより実施される方法において、
減少送信電力セルラーモードに入り；
ユーザ装置から隣接セル情報を受信し；
ワイヤレスベースステーションの現在構成が前記隣接セル情報と対立するとの決定に応答して、前記隣接セル情報に少なくとも一部分基づいてワイヤレスベースステーションを再構成し；及び
前記再構成が成功であったとの決定に応答してセルラー送信電力を増分的に増加する；
ことを含む方法。
【請求項８】
前記減少送信電力セルラーモードは、最小送信電力セルラーモードである、請求項７に記載の方法。
【請求項９】
前記減少送信電力セルラーモードは、最小送信電力より大きいが、通常動作の送信電力、セルラーモードより小さい、請求項７に記載の方法。
【請求項１０】
前記ワイヤレスベースステーションは、非セルラー接続を経てユーザ装置と通信するように制御される、請求項７に記載の方法。
【請求項１１】
プロセッサで実施される方法において、
全セルラー機能未満の機能を含む構成モードで動作するワイヤレスベースステーションの少なくとも１つの隣接セルに対する隣接セル情報を決定し；及び
ワイヤレスベースステーションにより全セルラー機能未満の機能を要求する通信を使用して前記隣接セル情報をワイヤレスベースステーションへ通信する；
ことを含む方法。
【請求項１２】
前記ワイヤレスベースステーションの構成モードは、最小送信電力のセルラー機能を含む、請求項１１に記載の方法。
【請求項１３】
前記ワイヤレスベースステーションの構成モードは、最小送信電力より大きいが全動作送信電力より小さい電力を使用するセルラー機能を含む、請求項１１に記載の方法。
【請求項１４】
前記隣接セル情報は、非セルラー通信を使用してワイヤレスベースステーションに通信される、請求項１１に記載の方法。
【請求項１５】
ワイヤレスベースステーションと共に使用する装置において、
少なくとも１つのプロセッサ、及び
インストラクションのプログラムを記憶するメモリ、
を備え、インストラクションのプログラムを記憶するメモリは、少なくとも１つのプロセッサとで、装置が、少なくともワイヤレスベースステーションを制御して、
全セルラー機能未満の機能を含む構成モードに入り；
ワイヤレスベースステーションにより全セルラー機能未満の機能を要求する通信を使用してワイヤレスベースステーション付近の少なくとも１つの隣接セルの隣接セル情報を受信し；及び
前記隣接セル情報に少なくとも一部分基づく構成を使用して全セルラー機能を含む動作モードに入る；
ようにさせるよう構成された装置。
【請求項１６】
前記全セルラー機能未満の機能は、低送信電力セルラー機能を含む、請求項１５に記載の装置。
【請求項１７】
ワイヤレスベースステーションと共に使用する装置において、
少なくとも１つのプロセッサ、及び
インストラクションのプログラムを記憶するメモリ、
を備え、前記インストラクションのプログラムを記憶するメモリは、少なくとも１つのプロセッサとで、装置が、少なくとも、
ワイヤレスベースステーションを制御して、減少送信電力セルラーモードに入り；
ワイヤレスベースステーションがユーザ装置から隣接セル情報を受信するようにさせ；
ワイヤレスベースステーションの現在構成が前記隣接セル情報と対立するとの決定に応答して、前記隣接セル情報に少なくとも一部分基づいてワイヤレスベースステーションを再構成し；及び
前記再構成が成功であったとの決定に応答して、ワイヤレスベースステーションを制御して、セルラー送信電力を増分的に増加する；
ようにさせるよう構成された装置。
【請求項１８】
前記減少送信電力セルラーモードは、最小送信電力セルラーモードである、請求項１７に記載の装置。
【請求項１９】
少なくとも１つのプロセッサ、及び
インストラクションのプログラムを記憶するメモリ、
を備えた装置において、インストラクションのプログラムを記憶するメモリは、少なくとも１つのプロセッサとで、装置が、少なくとも、
全セルラー機能未満の機能を含む構成モードで動作するワイヤレスベースステーションの少なくとも１つの隣接セルに対する隣接セル情報を決定し；及び
ワイヤレスベースステーションにより全セルラー機能未満の機能を要求する通信を使用して前記隣接セル情報をワイヤレスベースステーションへ通信する；
ようにさせるよう構成された装置。
【請求項２０】
前記ワイヤレスベースステーションの構成モードは、最小送信電力のセルラー機能を含む、請求項１９に記載の装置。
【発明の詳細な説明】
【技術分野】
【０００１】
本発明は、一般的に、ワイヤレス通信に関する。より詳細には、本発明は、ワイヤレス通信のアクセスポイントを自動的に構成する改良されたシステム及び技術に関する。
【背景技術】
【０００２】
近代的セルラー通信システムは、大きなセル又はマクロセルのカバレージエリア内及びそれに重畳して小さなセルを使用することを含む配備に益々変りつつある。大きなロングレンジベースステーション、又は（第三世代パートナーシッププロジェクト（３ＧＰＰ）及び関連規格に基づいて動作するネットワークでは）進化型ＮｏｄｅＢ（ｅＮＢ）は、マクロセルを画成するマクロｅＮＢと称される。マクロセルの上に横たわるのは、小さなショートレンジベースステーション又はｅＮＢにより画成される多数の小さなセルである。小さなセルは、ショートレンジをカバーし、そして小さなセルを使用することは、大きなセル内に周波数を繰り返し使用するのを許す。更に、小さなｅＮＢは、マクロｅＮＢより小さくて安価であり、そして希望のスポットへ比較的容易に輸送することができる。小さなｅＮＢの小さなサイズ及びそれに関連した輸送性は、ネットワーク環境を構成する上で著しい融通性を許す。というのは、小さなｅＮＢは、マクロセルのエリアに追加したり、又はその周りで移動したりできるからである。
【０００３】
小さなセルは、配備のためには、ネットワークの一部分として動作するように構成する必要があり、そして小さなセルを配備すべきローカル環境の無線状態を有用に考慮して構成が行われる。配備及び構成のプロセスが簡単なほど、より容易に小さなｅＮＢを配備しそして小さなセルを形成することができる。
【発明の概要】
【０００４】
本発明の１つの規範的実施形態において、ワイヤレスベースステーションのプロセッサにより実施される方法は、全セルラー機能未満の機能を含む構成モード（configuration mode）に入り；ワイヤレスベースステーションにより全セルラー機能未満の機能を要求する通信を使用してワイヤレスベースステーション付近の少なくとも１つの隣接セルの隣接セル情報を受信し；及びその隣接セル情報に少なくとも一部分基づく構成を使用して全セルラー機能を含む動作モードに入る；ことを含む。
【０００５】
本発明の別の規範的実施形態において、ワイヤレスベースステーションのプロセッサにより実施される方法は、減少送信電力セルラーモード（reduced transmit power cellular mode）に入り；ユーザ装置から隣接セル情報を受信し；ワイヤレスベースステーションの現在構成がその隣接セル情報と対立するとの決定に応答して、その隣接セル情報に少なくとも一部分基づいてワイヤレスベースステーションを再構成し；及びその再構成が成功であったとの決定に応答して、セルラー送信電力を増分的に増加する；ことを含む。
【０００６】
本発明の別の規範的実施形態において、プロセッサ実施方法は、全セルラー機能未満の機能を含む構成モードで動作するワイヤレスベースステーションの少なくとも１つの隣接セルに対する隣接セル情報を決定し；及びワイヤレスベースステーションにより全セルラー機能未満の機能を要求する通信を使用してその隣接セル情報をワイヤレスベースステーションへ通信する；ことを含む。
【０００７】
本発明の別の規範的実施形態において、ワイヤレスベースステーションと共に使用する装置は、少なくとも１つのプロセッサ、及びインストラクションのプログラムを記憶するメモリを備えている。インストラクションのプログラムを記憶するメモリは、少なくとも１つのプロセッサとで、装置が、少なくともワイヤレスベースステーションを制御して、全セルラー機能未満の機能を含む構成モードに入り；ワイヤレスベースステーションにより全セルラー機能未満の機能を要求する通信を使用してワイヤレスベースステーション付近の少なくとも１つの隣接セルの隣接セル情報を受信し；及びその隣接セル情報に少なくとも一部分基づく構成を使用して全セルラー機能を含む動作モードに入る；ようにさせるよう構成される。
【０００８】
本発明の別の規範的実施形態において、ワイヤレスベースステーションと共に使用する装置は、少なくとも１つのプロセッサ、及びインストラクションのプログラムを記憶するメモリを備えている。インストラクションのプログラムを記憶するメモリは、少なくとも１つのプロセッサとで、装置が、少なくとも、減少送信電力セルラーモードに入り；ユーザ装置から隣接セル情報を受信し；ワイヤレスベースステーションの現在構成がその隣接セル情報と対立するとの決定に応答して、その隣接セル情報に少なくとも一部分基づいてワイヤレスベースステーションを再構成し；及びその再構成が成功であったとの決定に応答して、セルラー送信電力を増分的に増加する；ようにさせるよう構成される。
【０００９】
本発明の別の規範的実施形態において、装置は、少なくとも１つのプロセッサ、及びインストラクションのプログラムを記憶するメモリを備えている。インストラクションのプログラムを記憶するメモリは、少なくとも１つのプロセッサとで、装置が、少なくとも、全セルラー機能未満の機能を含む構成モードで動作するワイヤレスベースステーションの少なくとも１つの隣接セルに対する隣接セル情報を決定し；及びワイヤレスベースステーションにより全セルラー機能未満の機能を要求する通信を使用してその隣接セル情報をワイヤレスベースステーションへ通信する；ようにさせるよう構成される。
【００１０】
本発明の別の規範的実施形態において、ワイヤレスベースステーションと共に使用するコンピュータ読み取り可能な媒体は、少なくとも１つのプロセッサで実行すると、少なくとも、全セルラー機能未満の機能を含む構成モードに入り；ワイヤレスベースステーションにより全セルラー機能未満の機能を要求する通信を使用してワイヤレスベースステーション付近の少なくとも１つの隣接セルの隣接セル情報を受信し；及びその隣接セル情報に少なくとも一部分基づく構成を使用して全セルラー機能を含む動作モードに入る；ようにワイヤレスベースステーションを構成するインストラクションのプログラムを記憶する。
【００１１】
本発明の別の規範的実施形態において、ワイヤレスベースステーションと共に使用するコンピュータ読み取り可能な媒体は、少なくとも１つのプロセッサで実行すると、少なくとも、減少送信電力セルラーモードに入り；ユーザ装置から隣接セル情報を受信し；ワイヤレスベースステーションの現在構成がその隣接セル情報と対立するとの決定に応答して、その隣接セル情報に少なくとも一部分基づいてワイヤレスベースステーションを再構成し；及びその再構成が成功であったとの決定に応答して、セルラー送信電力を増分的に増加する；ようにワイヤレスベースステーションを構成するインストラクションのプログラムを記憶する。
【００１２】
本発明の別の規範的実施形態において、コンピュータ読み取り可能な媒体は、少なくとも１つのプロセッサで実行すると、少なくとも、全セルラー機能未満の機能を含む構成モードで動作するワイヤレスベースステーションの少なくとも１つの隣接セルに対する隣接セル情報を決定し；及びワイヤレスベースステーションにより全セルラー機能未満の機能を要求する通信を使用してその隣接セル情報をワイヤレスベースステーションへ通信する；ように装置を構成するインストラクションのプログラムを記憶する。
【図面の簡単な説明】
【００１３】
【図１】本発明の規範的実施形態によるネットワークを示す。
【図２】本発明の規範的実施形態による方法を示す。
【図３】本発明の規範的実施形態によるユーザ装置を示す。
【図４】本発明の規範的実施形態を具現化するのに使用される要素を示す。
【発明を実施するための形態】
【００１４】
この説明は、第三世代パートナーシッププロジェクト（３ＧＰＰ）長期進化（ＬＴＥ）及び３ＧＰＰ  ＬＴＥ−アドバンスト（３ＧＰＰ  ＬＴＥ−Ａ）システムに関して述べるが、ここに述べるシステム及び技術は、任意の適当な環境で使用できることが認識されよう。小さなｅＮＢの配備及び構成を簡単化するため、本発明の１つ以上の規範的実施形態は、セルラー機能の自動構成を提供する。この構成は、付近にあるユーザ装置（ＵＥ）との通信により助成され、これは、ネットワークへのセルラー接続を維持し（例えば、マクロｅＮＢを通して）そして配備されるべきｅＮＢの構成パラメータを検索することができる。ここに開示するように、規範的実施形態において、ＵＥは、ワイヤレス通信能力を有する移動コンピューティング装置であり、例えば、セルラー電話、スマートホン、ラップトップコンピュータ、パルムトップコンピュータ、タブレットコンピュータ、又はインターネット機器である。ＵＥは、これらの例に何ら限定されず、そしてＵＥは、広範な種々の機能を実施するのに使用でき、ここに取り上げる例は、１つの選択に過ぎない。ＵＥは隣接セル情報を得、そしてＵＥ及び小さなｅＮＢは、低電力セルラー接続又は非セルラー接続を適当に経て互いに通信して、隣接アクセスポイントにより形成される環境の知識を最初に得ずに小さなｅＮＢが通常の動作電力でそのセルラー機能をアクチベートする必要なくＵＥが隣接セル情報を小さなｅＮＢに与えるのを許す。
【００１５】
ここに開示するように、規範的実施形態において、隣接セル情報は、配備されるべきｅＮＢの構成パラメータに基づきＵＥが経験する無線状態；或いは配備されるべきｅＮＢの付近の無線状態、例えば、隣接セルの無線状態の測定（例えば、受信電力（例えば、基準信号受信電力（ＲＳＲＰ）又は基準信号受信クオリティ（ＲＳＲＱ）及び周波数）、隣接セルの構成情報、又はその両方；のうちの少なくとも１つを含む。規範的実施形態では、隣接セルの構成情報は、隣接セルの電力設定、隣接セルにより使用される周波数、スケジュール構成、物理的セル識別子情報、又は他の情報、のうちの１つを含む。規範的実施形態では、ＵＥは、隣接セルに直接質問を行うか、又は１つ以上のサイトマネージャーサービスノードと通信することにより、隣接セル情報を得る。ここに開示するように、規範的実施形態では、非セルラー接続とは、セルラー接続でない接続、例えば、ブルーツース、Ｗｉ−Ｆｉ、又は近フィールド通信（ＮＦＣ）接続である。
【００１６】
図１は、本発明の１つ以上の規範的実施形態によるネットワーク１００を示す。ネットワーク１００は、マクロセル１０４を画成するマクロｅＮＢ１０２、及びそのマクロセル１０４に重畳する小さなセル１０８Ａ−１０８Ｃを画成する複数の小さなｅＮＢ１０６Ａ−１０６Ｃを備えている。又、ネットワーク１００は、コアネットワーク１１０も備えている。更に、サイトマネージャーサービスノード１１２、並びに１つ以上のベンダー特有のサイトマネージャーサービスノード１１４Ａ及び１１４Ｂは、ネットワーク１００へ又はネットワーク１００を通してアクセスすることができ、例えば、インターネット１１５を通る接続を通してネットワーク１００へアクセスすることができる。それ故、ＵＥは、サイトマネージャー１１２及びベンダー特有のサイトマネージャーと通信して、配備又は再構成されるべきｅＮＢの構成に関する情報を得ることができる。
【００１７】
本発明の１つ以上の規範的実施形態において、１つ以上のＵＥは、小さなセル１０８Ａ−１０８Ｃのようなその付近のベースステーションから測定値を取り出す。ＵＥは、新たに構成されたｅＮＢか又はネットワーク１００のようなネットワークｄｅ動作するように構成されたｅＮＢへ隣接セル情報を与えるように構成される。
【００１８】
この例において、ＵＥ１１６Ａ−１１６Ｅは、マクロセル１０４全体に配備され、その各々は、マクロセルへの接続を有し、そしてその１つ以上は、小さなセル１０８Ａ−１０８Ｃへの接続を有する。
【００１９】
新たな小さなｅＮＢ１１８がネットワーク１００に追加され、オペレータは、それが、マクロｅＮＢ１０２と協働して、又はそれと少なくとも干渉せずに、動作するように構成されると共に、それが、他の小さなｅＮＢと又はそれから不当に干渉することなく動作することを希望する。１つ以上の規範的実施形態において、ｅＮＢ１１８が隣接セル（例えば、セル１０８Ａ−１０８Ｃ）に関する隣接セル情報を受信するのを許すメカニズムが設けられる。そのようなメカニズムは、１つ以上のＵＥとの通信を通してそのような情報を得ることを許し、そのような通信は、全電力セルラー通信を伴わずに達成される。ｅＮＢ１１８は、それ故、減少送信電力セルラー動作、及びそれとは別に又はそれに加えて、非セルラー動作を与える構成モードをサポートする。従って、ｅＮＢ１１８は、おそらく干渉を生じないか又は干渉を受けない接続、例えば、低電力、ショートレンジセルラー接続又は非セルラー接続を確立する。ｅＮＢ１１８が接続する１つ以上のＵＥは、ｅＮＢ１１８の付近の無線状態に関する隣接セル情報、例えば、隣接セル１０８Ａ−１０８Ｃの測定値、それらセルの構成情報、又はその両方を得ることができる。１つ以上のＵＥは、この情報をｅＮＢ１１８へ配送し、そしてｅＮＢは、その付近の無線状態に関する情報を使用して構成され（適当に自動自己構成を通して）、且つ任意のポイントにおいてそれら無線状態を無視しつつ全電力セルラーモードで動作することなく又は隣接セルを直接聴取する必要なくこれを行うことができる。
【００２０】
この例では、ネットワーク１００の未知のユーザにより使用されると想定されるＵＥ１１６Ａ−１１６Ｂに加えて、ＵＥ１２０もネットワークに存在する。ＵＥ１２０は、ｅＮＢ１１８のインストーラーにより動作される。予想できない時間に、予想できない位置で動作されるＵＥ１１６Ａ−１１６Ｅとは異なり、ＵＥ１２０は、ｅＮＢ１１８の設置及び構成を助成するように慎重に動作されることが予想される。ＵＥ１１６Ａ−１１６ＥのようなＵＥは、ｅＮＢ１１８のようなｅＮＢの設置及び構成を助成することができる。ＵＥ１２０は、ここでは、最初の構成又は再構成を助成するよう構成されると知られ且つ最初に構成又は再構成される特定のＵＥの付近にあると知られたＵＥとして特に説明される。オペレータにより遂行される最初の構成又は他の構成の場合には、ＵＥ１２０は、オペレータによる動作に利用できると知られている。
【００２１】
ＵＥ１２０（及び他のＵＥの１つ以上）は、ｅＮＢ１１８、又は同様のサービスを必要とする他のｅＮＢを助成するように特に設計されたアプリケーションを使用する。アプリケーションの設計及び構成に基づいて、アプリケーションは、ユーザがオペレーションを構成するのを許すためにユーザインターフェイスを与えるか、或いは単にバックグランドに存在して、ユーザに透過的な仕方でｅＮＢ１１８のようなｅＮＢ及び他の装置と通信する。本発明の１つ以上の規範的実施形態では、ＵＥ１２０のようなＵＥは、ベースステーション構成のための多数の利用可能なアプリケーションの１つ以上を使用し、各アプリケーションは、特定ベンダーにより提供されるベースステーションに適合でき、又、本発明の１つ以上の規範的実施形態では、１つ以上のアプリケーションが、特定ベンダーにより提供される構成サービス要素との通信を与える。
【００２２】
ＵＥ１２０は、充分接近した範囲にあるときにｅＮＢ１１８とのセルラー接続を確立できるか、或いはブルーツース又は近フィールド通信（ＮＦＣ）のような非セルラー機能を使用して通信できるのが適当である。ＵＥ１２０（及び他の適当に構成されたＵＥ）は、隣接ｅＮＢの隣接セル情報を得るためにｅＮＢ１１８から指令を受け取ることができる。
【００２３】
図２は、本発明の規範的実施形態による方法２００を示す。ブロック２０２において、ｅＮＢがアクティブで且つ現在構成を有していないとのｅＮＢによる認識に応答して、ｅＮＢは、構成モードに入る。構成モードは、ｅＮＢが構成されておらずに新たに配備されつつあるとの認識に応答するか、或いはその現在構成がその環境に適合しないとの認識に応答する。構成モードにおいて、ｅＮＢのセルラー機能は、セルラー送信電力を減少電力に（例えば、最小送信電力に）セットすることにより減少され、そして非セルラー機能がアクチベートされる。ブロック２０４において、ｅＮＢは、指定期間中、ＵＥからの接続要求を待機する。ＵＥから接続要求がない場合には、プロセスがブロック２０６へ進み、ｅＮＢは、電力を増分的に増加する。次いで、プロセスは、ブロック２０４へ戻る。増分的な電力増加及び戻りは、指定の最大電力レベルに到達するまで続けられる。
【００２４】
ｅＮＢが指定期間内にＵＥからの接続要求を検出した場合には、プロセスがブロック２０８へと進む。ブロック２０８において、ｅＮＢは、ＵＥとの接続を確立する。この接続は、ｅＮＢが低セルラー機能モードで動作するときにｅＮＢの範囲内でのＵＥによるセルラー接続である。本発明の１つ以上の別の又は付加的な規範的実施形態では、その接続は、非セルラー接続、例えば、ブルーツース、Ｗｉ−Ｆｉ、又は近フィールド接続である。
【００２５】
ブロック２１０において、ｅＮＢは、隣接セル情報を得るようにＵＥに要求し、そしてブロック２１２において、ＵＥは、隣接セル情報を得る。次いで、ＵＥは、隣接セル情報をｅＮＢに配送する。ブロック２１４において、ｅＮＢは、それ自身で構成を行い（例えば、使用する周波数、平均及びピーク送信電力を選択し、スケジュールを決める）、そして増加電力モードに入る。１つ以上の規範的実施形態において、電力の増加は、増分的である。
【００２６】
図３は、本発明の１つ以上の規範的実施形態によるユーザ装置（ＵＥ）３００の付加的な細部を示す。ＵＥ３００は、ｅＮＢと通信して初期構成又は再構成を受け、測定を行い、ｅＮＢと通信してそれらの構成を決定し、そして監視サービス要素と通信する能力を備えたアプリケーションをインストールしている。ＵＥ３００は、プロセッサ３０２、セルラー通信モジュール３０４、及び非セルラー通信モジュール３０６を適当に備えている。ＵＥ３００は、中央レポジトリー又は「ストア」からダウンロードできる典型的なスマートホンアプリケーションである複数のアプリケーションを実施する。１つ以上のアプリケーションの各々は、そのベースステーションのベースステーションベンダーにより又はそれに代わって開発され、そして低電力セルラー接続又は非セルラー接続を使用してベースステーションと通信し、ベースステーションによりその構成のために必要とされる隣接セル情報を得て、その情報をベースステーションへ配送するようにＵＥを制御する。ＵＥ３００は、種々のアプリケーション及びサービス、例えば、ベースステーションベンダーＡ及びＢにより各々供給されるアプリケーション３１０Ａ及び３１０Ｂ、ベンダーＡ及びＢにより供給されるベースステーションに適応されてベンダー特有のサイトマネージャーサービス３１４Ａ及び３１４Ｂと対話するサイトマネージャーサービス３１２をサポートする。ベンダー特有のサイトマネージャーサービスは、１つ以上のサイトマネージャーサービスノード及びベンダー特有のサイトマネージャーサービスノードとの適当な通信を通して構成情報要求を受信しそしてその情報をベースステーションへ供給するためにベンダーにより提供されるベースステーションとのＵＥの通信を制御する。
【００２７】
又、ＵＥ３００は、隣接セル無線状態のＵＥ測定を制御する高周波隣接監視サービスもサポートする。アプリケーション３１０Ａ及び３１０Ｂのようなアプリケーションは、例えば、初期構成、再構成、又は再構成が必要であるかどうか決定するときにベースステーションが使用する隣接セル情報の収集を選択するようなユーザ選択を許すためにユーザインターフェイス３２０を提供する。本発明の１つ以上の規範的な実施形態において、ＵＥ３００は、インテント(intent)メカニズムと称されるものを通してアプリケーション及びサービスを一緒に結合するためのメカニズムを果たす。インテントメカニズムは、１つのアプリケーション及びサービスが別のアプリケーション又はサービスを選択しそして実行するのを許す。選択は、指定のアプリケーション又はサービスの選択であり、この場合、インテントメカニズムは、明示的インテントメカニズムと称される。他の場合には、選択は、特定ニーズの認識に基づくアプリケーション又はサービスの選択、及び必要なアプリケーション又はサービスミーティングの選択である。１つの例において、無線状態モニタアプリケーションは、ＵＥ３０の位置を決定し、次いで、どのセルが、構成又は再構成されているｅＮＢの隣接セルであるか決定する上で助けとなるように、既知のセルサイトの位置ベースのデータベースを選択する。
【００２８】
図４は、本発明の１つ以上の規範的実施形態を具現化するのに適したｅＮＢ４００、ユーザ装置（ＵＥ）４３０、及びデータ処理装置４５０の詳細を示す。ＵＥ４００と同様のｅＮＢは、例えば、図１のｅＮＢ１０２、ｅＮＢ１０６Ａ−１０６Ｃ、又はｅＮＢ１１８として実施される。ｅＮＢ４００は、送信器４０２、受信器４０４及びアンテナ４０６を適当に備えている。又、ｅＮＢ４００は、プロセッサ４０８及びメモリ４１０も備えている。ｅＮＢ４００は、メモリ４１０に存在するデータ４１２及びプログラム（ＰＲＯＧ）４１４を使用する。
【００２９】
ＵＥ４３０と同様のｅＮＢは、例えば、ＵＥ１１６Ａ−１１６Ｅ及びＵＥ１２０として実施される。ＵＥ４３０は、送信器４３２、受信器４３４及びアンテナ４３６を適当に備えている。又、ＵＥ４３０は、プロセッサ４３８及びメモリ４４０も備えている。ＵＥ４３０は、メモリ４４０に存在するデータ４４２及びプログラム（ＰＲＯＧ）４４４を使用する。
【００３０】
データ処理装置４５０と同様のデータ処理装置は、例えば、コアネットワーク１１１、サイトマネージャーサービスノード１１２、並びにベンダー特有のサイトマネージャーサービスノード１１４Ａ及び１１４Ｂとして実施される。データ処理装置は、プロセッサ４５８及びメモリ４６０を適当に備えている。データ処理装置４３０は、メモリ４６０に存在するデータ４６２及びプログラム（ＰＲＯＧ）４６４を使用する。
【００３１】
ｅＮＢ４００におけるＰＲＯＧ４１４の少なくとも１つは、関連プロセッサ４０８により実行されたときに、装置が本発明の規範的実施形態に基づいて動作できるようにするプログラムインストラクションのセットを適当に含む。これに関して、本発明の規範的実施形態は、ｅＮＢ４００のプロセッサ４０８により実行可能なＭＥＭ４１０に記憶されたコンピュータソフトウェアにより、又はハードウェアにより、又は有形の記憶されたソフトウェア及びハードウェア（並びに有形の記憶されたファームウェア）の組み合せにより、少なくとも部分的に実施される。同様に、ＵＥ４３０におけるＰＲＯＧ４４４の少なくとも１つは、関連プロセッサ４３８により実行されたときに、装置が、上述したように、本発明の規範的実施形態に基づいて動作できるようにするプログラムインストラクションのセットを含むと仮定する。これに関して、本発明の規範的実施形態は、ＵＥ４３０のプロセッサ４３８により実行可能なＭＥＭ４４０に記憶されたコンピュータソフトウェアにより、又はハードウェアにより、又は有形の記憶されたソフトウェア及びハードウェア（並びに有形の記憶されたファームウェア）の組み合せにより、少なくとも部分的に実施される。同様に、データ処理装置４５０におけるＰＲＯＧ４６４の少なくとも１つは、関連プロセッサ４５８により実行されたときに、装置が、上述したように、本発明の規範的実施形態に基づいて動作できるようにするプログラムインストラクションのセットを含むと仮定する。これに関して、本発明の規範的実施形態は、データ処理装置４５０のプロセッサ４５８により実行可能なＭＥＭ４６０に記憶されたコンピュータソフトウェアにより、又はハードウェアにより、又は有形の記憶されたソフトウェア及びハードウェア（並びに有形の記憶されたファームウェア）の組み合せにより、少なくとも部分的に実施される。本発明のこれらの観点を実施する電子装置は、図１又は図４に示された全装置を必要とするものでなく、或いはその１つ以上のコンポーネント、例えば、上述した有形の記憶されたソフトウェア、ハードウェア、ファームウェア及びプロセッサ、又はシステムオンチップ（ＳＯＣ）、又は特定用途向け集積回路（ＡＳＩＣ）でもよい。
【００３２】
コンピュータ読み取り可能なＭＥＭ４１０、４４０及び４６０の種々の規範的実施形態は、これに限定されないが、半導体ベースのメモリ装置、磁気メモリ装置及びシステム、光学メモリ装置及びシステム、固定メモリ、除去可能なメモリ、ディスクメモリ、フラッシュメモリ、ＤＲＡＭ、ＳＲＡＭ、ＥＥＰＲＯＭ、等を含む、ローカル技術環境に適したデータストレージテクノロジータイプを包含する。プロセッサ４０８、４３８及び４５８の種々の規範的実施形態は、これに限定されないが、汎用コンピュータ、特殊目的コンピュータ、マイクロプロセッサ、デジタル信号プロセッサ（ＤＳＰ）及びマルチコアプロセッサを包含する。
【００３３】
以上の説明に鑑み、当業者であれば、本発明の前記規範的実施形態に対する種々の変更及び適応が明らかであろう。種々の規範的実施形態を以上に述べたが、本発明の実施は、ここに図示して説明した規範的実施形態に限定されないことが明らかである。
【００３４】
更に、以上に述べた非限定実施形態の種々の特徴の幾つかは、ここに述べた他の特徴を対応的に使用せずに効果的に使用することができる。それ故、以上の説明は、本発明の実施形態の原理、教示及び実施例を単に例示するものと考えられ、それに限定されない。
【符号の説明】
【００３５】
１００：ネットワーク
１０４：マクロセル
１０６Ａ、１０６Ｂ、１０６Ｃ：小さなｅＮＢ
１０８Ａ、１０８Ｂ、１０８Ｃ：小さなセル
１１０：コアネットワーク
１１２：サイトマネージャーサービスノード
１１４Ａ、１１４Ｂ：ベンダー特有のサイトマネージャーサービスノード
１１５：インターネット
１１６Ａ、１１６Ｂ、１１６Ｃ、１１６Ｄ、１１６Ｅ：ＵＥ
１１８：新たな小さなｅＮＢ
１２０：ＵＥ
４００：ｅＮＢ
４０２：送信器
４０４：受信器
４０６：アンテナ
４０８：プロセッサ
４１０：メモリ
４１２：データ
４１４：プログラム（ＰＲＯＧ）
４３０：ユーザ装置（ＵＥ）
４５０：データ処理装置
４３２：送信器
４３４：受信器
４３６：アンテナ
４３８：プロセッサ
４４０：メモリ
４４２：データ
４４４：プログラム（ＰＲＯＧ）
４５０：データ処理装置
４５８：プロセッサ
４６０：メモリ
４６２：データ
４６４：プログラム（ＰＲＯＧ）
【図１】
2018500815.tif 000003
【図２】
2018500815.tif 000004
【図３】
2018500815.tif 000005
【図４】
2018500815.tif 000006
【国際調査報告】
2018500815.tif 000007
2018500815.tif 000008